Podtech/llm-jp-corpus-v4-ja_patent huggingface dataset:
(57)【要約】【課題】インタ−ネット上にホ−ムペ−ジを開いている人が、その情報を知りたい人に容易に安く知らせることの出来る広告方法。【解決手段】広告したい単語または熟語を書き、下にアンダ−ラインを引き、アンダーラインの下にホ−ムペ−ジのアドレスを書く広告方法。または単語または熟語を目立つ書体で書き、続いてホ−ムペ−ジのアドレスを書く広告方法。【選択図】図１
2006259652.tif 000002
【特許請求の範囲】
【請求項１】
単語または熟語の下にアンダ−ラインをひき、アンダ−ラインの下にホ−ムペ−ジのアドレスを記入する広告方法。
【請求項２】
ゴジック、斜体など目立つ文字で書かれた単語または熟語に続き、ホ−ムペ−ジのアドレスを記入する広告方法。
【発明の詳細な説明】
【技術分野】
【０００１】本発明は、単語または熟語とホ−ムペ−ジのアドレスを組み合わせてなる広告方法に関する。
【背景技術】
【０００２】コンピュ−ターにおけるインタ−ネットは普遍化しているため、ホ−ムペ−ジを作り商品や方法の普及販売に役立てているものは多い。
又、一方インタ−ネットで希望する商品を捜す人も多い。
しかし、いかに立派なホ−ムペ−ジを作っても、見せたい人のアクセスがなくては、目的を達することは出来ない。又希望する商品を捜そうとする人が、インターネットで捜そうとしてもあまりにも多い情報のため、捜すのを断念する人も多い。
本発明は、知らせたい情報と、知りたい情報を容易にドッキングさせることができる。
またこの広告方法は小スペ−スで出来るため、種々の媒体に安価に広告が出来る。
【特許文献】  見当たらない。
【非特許文献】  見当たらない。
【発明の開示】
【発明が解決しようとする課題】
【０００３】ホ−ムペ−ジを開いているものが見せたい情報と、インタ−ネットを操作しているものが見たい情報を素早くドッキングさせる広告方法を課題とする。
【課題を解決するための手段】
【０００４】ホ−ムペ−ジを開いているものが、見せたい情報の単語または熟語の下にアンダ−ラインを引き、そのアンダ−ラインの下に自分が開いているホ−ムペ−ジのアドレスを書く。または目立つ文字で見せたい単語または熟語を書いて後、アドレスを書き広告する。
【発明の効果】
【０００５】
【発明を実施するための最良の形態】
【０００６】広告主にとっては小さい広告で、安価に数多くの広告ができる。また希望する情報のアドレスにアクセスしてもらえば、ホ−ムペ−ジ上の多くの情報を伝えることができる。情報を得たい人は、希望する単語または熟語の下、または続いて書いてあるアドレスにアクセスすれば、容易にホ−ムページにある大量の情報を得ることができる。
【実施例】
【０００７】これら一連の小さい多数の広告を一枚または複数のチラシに印刷すれば、便利で内容豊富な辞書同様の印刷物とすることもできる。
【図面の簡単な説明】
【０００８】
【図１】単語または熟語の下にアドレスを書いた例
【図２】単語または熟語に続いてアドレスを書いた例
【符号の説明】
【０００９】  １単語または熟語
２アンダ−ライン
３ホ−ムペ−ジのアドレス
【図１】
2006259652.tif 000003
【図２】
2006259652.tif 000004
(57)【要約】      （修正有）【課題】  楽譜を読むこと，さらに，鍵盤楽器で演奏の難しさを軽減する。【解決手段】  ８線楽譜は楽譜と，鍵盤楽器の鍵盤の指の位置が一致するので，５線譜と比べて読譜と演奏がはるかに容易となる。【選択図】なし【特許請求の範囲】
【請求項１】
縦書き８線楽譜（（図面）２）
【請求項２】
現在使われている５線譜の曲をこの８線楽譜に書きかえること．また，新しい曲をこの８線楽譜で作曲すること．
【請求項３】
８線楽譜を読み易くするため（図面）２のように点線．細線．太線をつける．
【発明の詳細な説明】
【技術分野】    本発明は音楽に関する
【背景技術】
【０００１】楽譜としては横書き５線譜が一般に使われている．（図１）
【発明の開示】
【発明が解決しようとする課題】
【０００２】
【０００３】（図１）の５線譜は，音楽に全くの初心者が読譜し，特に鍵盤楽器の演奏を習得する場合かなりの努力が必要である．
【課題を解決するための手段】
【０００４】５線譜を使っての読譜，鍵盤楽器演奏の難しさを軽減するため８線楽譜を発明した
【発明の効果】
【０００５】本発明によって，読譜，鍵盤楽器演奏の困難が大幅に軽減された．
特に音楽に全くの初心者，また中高年が鍵盤楽器演奏を始めようとした場合，きわめて効果がある．
【発明を実施するための最良の形態】
【０００６】本発明の実施の形態を図面に基づいて説明する．
2006259656.tif 000002
高音のドは高音部下第３線と第４線との間にある．低音ファは低音部下から第４線上に乗り，高音のファは高音部下から第１線と第２線の間にある．
これに比べて８線楽譜（図２）では，例えばレは低音部でも高音部でも左から第２線と第３線の間にある．この関係はミでも，ソでも，つまりどの音でも低音部高音部の相対的に同じ位置なので，５線譜に比べて非常にわかりやすい．
また＃♭の音はすべて太線の上に来る．
このように読譜も８線譜は視覚からもわかりやすい．
鍵盤楽器の演奏についてみてみると，（図２）の８線楽譜の太線上の楽符は（図３）鍵盤の黒鍵上の音となり，線間の楽符は鍵盤の白鍵の音となる．
このように，楽譜と鍵盤楽器の鍵盤とが対応しているので，５線楽譜よりはるかに容易に演奏できる．
【実施例】
2006259656.tif 000003
2006259656.tif 000004
2006259656.tif 000005
(57)【要約】【課題】安価に作成および提供される、音程変更の仕組みを持つ楽器もしくは楽器を作成する平面素材に関するものである。【解決手段】振動する平面素材からなるリード部１、平面素材を切断もしくは折り曲げることにより作成された封筒部２と、同様に平面素材から作成された音程変更の役割を持つスライド部３の３つの部位を組み合わせる。組み合わせる際、スライド部３に厚み部分４を持たせる。【選択図】図１
2006259649.tif 000002
【特許請求の範囲】
【請求項１】
紙など平面素材を切断もしくは折り曲げることにより作成された封筒部と、同様に平面素材から作成された音程変更の役割を持つスライド部、そして振動する平面素材からなるリード部の３つの部位からなり、封筒部に取り付けたリード部の振動を封筒部とスライド部によって囲まれた空間で共鳴させ音を出す、特殊な工具の必要なしに作成される笛。
【請求項２】
平面素材から作成されたスライド部の一部が、折り曲げるなどしてスライドの他部より厚くなり、リード部とスライド部との間に空間を作り空気が空間内で共鳴しやすくしている笛。
【請求項３】
請求項１もしくは請求項２を満たした笛を容易に作成できるように、切り取り線もしくは折り線としてのミシン目や印などを付与した平面素材。
【発明の詳細な説明】
【技術分野】
【０００１】本発明は、安価かつ容易に流通可能な材質からなる、音程をスライドによって容易に変更できる笛およびその作成素材に関するものである。
【背景技術】
【０００２】従来、笛は筒状の本体内部の共鳴空間の容量を変更することにより音程を変更する仕組みを備えていた。しかし、筒状の本体を作成するためには特殊な工具や向上が必要で、一般の人々が作成するには困難なものであった。また、立体的な筒の形状であるため運搬時にかさばるという欠点があった。作成および運搬の容易さを実現する笛として草笛が存在するが、草笛は音程を調整する部分がないため、素人が演奏するのは難しく、また、音程調整構造の欠如により楽器の定義から外れるものという解釈も流布していた。
【発明の開示】
【発明が解決しようとする課題】
【０００３】従来技術では、安価で運搬が容易でありながらも、音程を容易に変化させることが困難で楽器としての定義の適用が難しいため、草笛もしくはそれに相当するものの普及が妨げられていた。
【課題を解決するための手段】
【０００４】本発明は、請求項１においては平面素材のみを用いて、リード部で発生させた振動を封筒部とスライド部によって囲まれた空間によって共鳴させて音を発生し、スライド部により空間の容量を変化させることによって用意に音程を変化させることが可能な笛を提供する。【０００５】また、請求項２においては、共鳴空間を用意に作成するために、スライド部のリードよりの端を折り曲げるなどして厚みを持たせる工夫を提供する。【０００６】さらに、請求項３においては、上記の手段を満たす笛の普及を促すための平面素材を提供する。
【発明の効果】
【０００７】本発明は、平面素材によってのみ構成されるため、安価かつ容易に笛を提供することができる。また、スライド部において音を容易に変化させる工夫を施しているため誰でも簡単に演奏ができる。これらのことから楽器演奏の普及に大きく貢献する。
【発明を実施するための最良の形態】
【０００８】平面素材を折り曲げての封筒部２を作成する。封筒部の開いた口にリード部１となる平面素材を貼り付ける。そして、スライド部３に厚み部分４をもたせ、スライド部３が封筒部２内で移動可能、かつ、リード部１を口に当てて演奏する際に口と封筒部２とスライドの厚み部分４の間に共鳴空間ができるように各部位を組み合わせる。なお、共鳴空間の条件を満たせば、リード部１を貼り付ける封筒部２の口の位置は問わない。また、スライド部３の移動を容易にするために、スライド部３の長さを封筒部２より長くしたり、封筒部２に切れ目を入れたりしても良い。
【実施例】
【０００９】実施例を図面に従って説明する。実施例を示す図として、実施例を正面から見た図１、横からの断面図である図２、背面から見た図３、リードを貼り付けた封筒の口から内部を覗き込んだ図４となる。また、図１から４で示された笛を容易に作成できるように加工した平面素材の図として図５となる。
【産業上の利用可能性】
【００１０】本発明は楽器として演奏されるが、演奏利用の形態として図６のように演奏される。リード部を唇に当て吹き出す息で振動させ、封筒部とスライド部で囲まれた空間で共鳴させる。また、音程変更のために指（図６では親指で、封筒部の裏に隠れている）でスライド部を動かす。【００１１】本発明は草笛に近い音色を出す、音階変更が容易な楽器として利用されうる。また、組み立て前の平面素材を流通させることにより、楽器のしくみを理解する教材を安価に提供することが可能になる。
【図面の簡単な説明】
【００１２】
【図１】請求項１および２と関連する実施例の封筒部を半透明にした際に、リード部、封筒部、スライド部がどのように組み合わされるかを示した表面図である。
【図２】請求項１および２と関連する実施例を側面から見た、断面図である。
【図３】請求項１および２と関連する実施例の封筒部を半透明にした際に、リード部、封筒部、スライド部がどのように組み合わされるか、そしてスライド部を移動するための工夫の一例として、封筒に切れ目を入れてスライド部の一部が外部に現れる状態にした様子を示した裏面図である。
【図４】請求項１および２と関連する実施例の封筒部の内部をリード部が貼り付けてある部分から覗き込んでスライド部の厚み部分が共鳴空間を作り出していることを示した図である。
【図５】請求項３と関連する実施例として、切り取り線もしくは折り線を付与した平面素材の図である。
【図６】本発明を演奏している姿を示した図である。
【符号の説明】
【００１２】１  リード部
２  封筒部
３  スライド部
４  厚み部分
５  平面素材
６  切り取り線もしくは折り線
【図１】
2006259649.tif 000003
【図２】
2006259649.tif 000004
【図３】
2006259649.tif 000005
【図４】
2006259649.tif 000006
【図５】
2006259649.tif 000007
【図６】
2006259649.tif 000008
(57)【要約】【課題】  電子タグが損傷しても管理対象物の識別番号を識別できるタグ装置を提供する。【解決手段】  蒸気トラップ１を識別するための識別番号が記憶された電子タグ２と、電子タグ２が取付けられた取付具１２と、蒸気トラップ１を識別するための識別番号が表示された金属製目視タグ８と、取付具１２と金属製目視タグ８とを蒸気トラップ１に固定するための小ネジ１３とを有する。電子タグ２が取付けられた取付具１２と金属製目視タグ８とを蒸気トラップ１に小ネジ１３により固定したものであるので、電子タグ２が損傷しても金属製目視タグ８により管理対象物の識別番号を識別できる。【選択図】      図１
2006259920.tif 000002
【特許請求の範囲】
【請求項１】
管理対象物を識別するための識別番号が記憶された電子タグと、当該電子タグが取付けられた取付具と、管理対象物を識別するための識別番号が表示された金属製目視タグと、取付具と金属製目視タグとを管理対象物自体またはその近傍に固定するための固定部材とを有することを特徴とするタグ装置。
【発明の詳細な説明】
【技術分野】
【０００１】
本発明は、管理対象物を識別するための識別番号を有し管理対象物自体またはその近傍に取付けられるタグ装置に関する。本発明のタグ装置は、例えば蒸気配管に設置されるバルブやトラップ、あるいは蒸気プラントの設備機器等の管理対象物を保守・点検するときに管理対象物を識別するために用いられる。
【背景技術】
【０００２】
従来のタグ装置は、管理対象物を識別するための識別番号が記憶された電子タグと、電子タグを管理対象物自体またはその近傍に取付けるめの針金とを有するものである。
【０００３】
上記従来のものは、風の影響によりあるいは人や物が当たることにより、電子タグが管理対象物に接触する場合がある。そのため、蒸気配管に設置されるバルブやトラップの様に管理対象物が高温の場合には、電子タグが管理対象物の熱で損傷し、電子タグに記憶された識別番号を識別できなくなるという問題があった。
【特許文献１】特開２００３−８３８４９
【発明の開示】
【発明が解決しようとする課題】
【０００４】
解決しようとする課題は、電子タグが損傷しても管理対象物の識別番号を識別できるタグ装置を提供することである。
【課題を解決するための手段】
【０００５】
本発明によれば、管理対象物を識別するための識別番号が記憶された電子タグと、当該電子タグが取付けられた取付具と、管理対象物を識別するための識別番号が表示された金属製目視タグと、取付具と金属製目視タグとを管理対象物自体またはその近傍に固定するための固定部材とを有することを特徴とするタグ装置が提供される。
【発明の効果】
【０００６】
本発明のタグ装置によれば、電子タグが損傷しても金属製目視タグにより長期に渡って管理対象物を識別し続けることができるという優れた効果を生じる。
【発明を実施するための最良の形態】
【０００７】
本発明は、電子タグが取付けられた取付具と金属製目視タグとを管理対象物自体またはその近傍に固定部材により固定したものであるので、電子タグが損傷しても金属製目視タグにより管理対象物の識別番号を識別できる。
【実施例１】
【０００８】
上記の技術的手段の具体例を示す実施例を説明する（図１と図２参照）。図１は管理対象物としての蒸気トラップ１に電子タグ２と金属製目視タグ８を取付けた正面図であり、図２は図１の側面図である。蒸気トラップ１は入口３と出口４とを有する本体５に蓋体６をボルト９で締結してケーシングを形成したものである。
【０００９】
本体５の凸部７に金属製目視タグ８と取付具１２とを座金１１を介して固定部材としての小ネジ１３で固定する。取付具１２はステンレス鋼やアルミニウム等の金属や合成樹脂等の薄板で形成され、一部（下部）側に対象物固定部１２ａを、他部（上部）側に電子タグ固定部１２ｂを有する。タグ固定部１２ｂの蒸気トラップ１とは反対側に座金１４を介して電子タグ２を小ネジ１５で固定する。電子タグ２はＲＦＩＤ（無線周波数識別）技術を用いたもので、アンテナ素子に蒸気トラップ１の識別番号を記憶した回路素子を電気的に接続したものである。金属製目視タグ８は蒸気トラップ１の識別番号を表示したものである。
【００１０】
本体５は凸部７がその上方の部分よりも大径であり、取付具１２はタグ固定部１２ｂと蒸気トラップ１との距離が対象物固定部１２ａと蒸気トラップ１との距離よりも大きくなるように対象物固定部１２ａが蒸気トラップ１に固定されている。特に、図示のように取付具１２を折り曲げて形成することにより、タグ固定部１２ｂと蒸気トラップ１との距離を対象物固定部１２ａと蒸気トラップ１との距離よりも更に大きくすることができる。
【００１１】
電子タグ２に記憶された蒸気トラップ１の識別番号は無線により非接触で図示しないタグ読取装置に伝達される。電子タグ２が取付けられた取付具１２と金属製目視タグ８とを小ネジ１３で蒸気トラップ１に固定したものであるので、電子タグ２が蒸気トラップ１の熱で損傷しても、金属製目視タグ８により蒸気トラップの識別番号を識別できる。
【図面の簡単な説明】
【００１２】
【図１】本発明の実施例であるタグ装置を蒸気トラップに取付けた正面図。
【図２】図１の側面図。
【符号の説明】
【００１３】
１  蒸気トラップ
２  電子タグ
８  金属製目視タグ
１２ 取付具
１３  小ネジ
【図１】
2006259920.tif 000003
【図２】
2006259920.tif 000004
(57)【要約】【課題】貴金属装飾品にゲルマニウムの透明皮膜を形成することにより、金色をはじめとする各種の素材の色調を活かし、身につけた装飾品がゲルマニウムの特性である遠赤外線放出による血行促進の効果を得る。以上のゲルマニウム透明皮膜の形成方法を提供する。【解決手段】水１００に対して酸化ゲルマニウム４の比率で溶解させ、さらに水溶性透明塗料に混合させて得られるゲルマニウムの透明塗料を噴射させるか、該ゲルマニウムの透明塗料に浸漬させることによりゲルマニウム透明皮膜を形成する方法。【特許請求の範囲】
【請求項１】
水に酸化ゲルマニウムを溶解させ、さらに水溶性透明塗料に混合させて得られるゲルマニウムの透明塗料をスプレーガンにより貴金属製品に噴射させて塗装することを特徴とする貴金属のゲルマニウム透明皮膜形成方法。
【請求項２】
ゲルマニュウムの透明塗料に貴金属製品を浸漬させ、その後不必要な透明塗料を除去した後に乾燥させる請求項１の貴金属のゲルマニウム透明皮膜形成方法。
【発明の詳細な説明】
【技術分野】
【０００１】  本発明は、貴金属の装飾品にゲルマニウムを含む透明皮膜を形成する方法に関する。
【背景秘術】
【０００２】  従来、ゲルマニウムコーティング技術はスパッタリング装置などの真空蒸着装置を用いてゲルマニウム皮膜を形成し、製品全体はゲルマニウム色である銀白色に覆われていた。
【発明の開示】
【発明が解決しようとする課題】
【０００２】  ゲルマニウムコーティングされた製品は、ゲルマニウムが本来有する色である銀白色以外の他の色彩を得ることができなかったために、貴金属装飾品の色鮮やかな発色を得ることができなかった。
本発明は以上の点を解決するために、貴金属装飾品にゲルマニウムの透明皮膜を形成することにより、金色をはじめとする各種の素材の色調を活かそうとするものである。
【課題を解決するための手段】
【０００４】  一般塗料にゲルマニウム及びゲルマニウム化合物を添加して浸漬、スプレー塗布等の手段により製品表面にゲルマニウムを含む塗膜を形成する方法である。
【発明の効果】
【０００５】  首飾りや腕輪、指輪などの貴金属製品の地金そのものの色を表面に発色しながら、身につけた装飾品はゲルマニウムの特性である遠赤外線放出による血行促進の効果を得ることができる。
【第１実施例】
【０００６】    水１００に対して酸化ゲルマニウム４の比率で溶解させ、さらに水溶性透明塗料に混合させて得られるゲルマニウムの透明塗料をスプレーガンにより貴金属製品に噴射させて塗装する。以上により、貴金属製品にゲルマニウム透明皮膜を形成する方法である。
【第２実施例】
【０００７】  水１００に対して酸化ゲルマニウム４の比率で溶解させ、さらに水溶性透明塗料に混合させて得られるゲルマニウムの透明塗料に貴金属製品を浸漬させ、その後不必要な透明塗料を除去した後に乾燥させる。以上により、貴金属製品にゲルマニウム透明皮膜を形成する方法である。
(57)【要約】      （修正有）【課題】  排出ガス中の多塩素化ダイオキシンを活性化金属により直接無害化昇華させ、脱塩素化されたダイオキシンは再び塩素と結合する事なく再燃焼される方法を提供する。【解決手段】  本発明は焼却炉より排出されるガス中に含まれる多塩素化ダイオキシン類（ＰＣＤＤ，ＰＣＤＦ）を吸着捕捉して除去することなく直接排出される多塩素化ダイオキシン類（ＰＣＤＤ，ＰＣＤＦ）を赤熱銅単体により塩素を引き抜き生成された塩化銅は昇華により系より除かれる。【選択図】なし【特許請求の範囲】
【請求項１】
活性化金属により  焼却炉、ガス化炉、高熱溶融炉、及びそれに類する処理装置より排出されるガス中に含まれる  多塩素化ダイオキシン類を直接無害化、昇華させる方法。
【発明の詳細な説明】
【技術分野】
【０００１】  本発明は、ガス中に含まれる多塩素化ダイオキシン類の無害化に関する。
【背景技術】
【０００２】  従来はガス中に含まれる多塩素化ダイオキシン類を一旦吸着剤（活性炭、湿式フィルター、等）により捕捉し、それを無害化する事によって処理されている。【０００３】  本発明の仕組は  排出ガス中に含まれる多塩素化芳香族、特に多塩素化ダイオキシン類の除去として  約７００℃前後に熱した赤熱銅（ｃｕのｍｐ．１０４９℃）単体をガス流中に設置し、連続的に脱多塩素化ダイオキシンが達成される。【０００４】  本方法は脱塩素化されたダイオキシンは再び塩素と結合することなく再燃焼され、また他の塩素も赤熱銅と結合し塩化銅（Ｉ），（ＩＩ）ｅｔｃとして昇華除去される為、再結合の可能性はない。【０００５】  昇華温度；  塩化銅（Ｉ），（ＩＩ）混合４１０℃  〜  ４２０℃  であり  ４１５℃前後である。
【発明の開示】
【発明が解決しようとする課題】
【０００６】  以上に述べた従来のガス中に含まれる多塩素化ダイオキシン類の無害化処理法は一旦吸着剤により捕捉し、それを無害化する事によって処理されている。このため連続処理は困難である。
【課題を解決するための手段】
【０００７】  そして、本発明は焼却炉より排出されるガス中に含まれる多塩素化ダイオキシン類（ＰＣＤＤ，ＰＣＤＦ）を吸着捕捉して除去することなく  直接排出される多塩素化ダイオキシン類（ＰＣＤＤ，ＰＣＤＦ）を赤熱銅  単体により塩素を引抜き  生成された塩化銅は昇華により系より  除かれる。
【発明の効果】
【０００８】  即ち、以上に述べた如く、焼却炉より排出されるガス中に含まれる多塩素化ダイオキシン類（ＰＣＤＤ，ＰＣＤＦ）を吸着捕捉して除去することなく、直接無害化処理するので  その処理効果は万全であり、各処理段階に於ける汚染流出の恐れはない。
【実施例】以下に本願発明の脱塩素化を実施例で説明するが、この実施例は本発明の範囲を限定するものではない。
【多塩素化ダイオキシンの調製】
【０００９】  ジベンゾピラン（Ｃ１３ＯＨ１０）１．８２ｇを５００ｍｌ三ツ口フラスコにとり  シクロヘキサン２００ｍｌを入れて攪拌しながら  とかした。
【００１０】  塩化アルミニウムを約１ｍｇ（耳かき１杯）加え  冷却攪拌しながら  乾かされた塩素ガスを約２時間にわたり導入し、粗塩素化ダイオキシン溶液として試料液を調製した。
【００１１】  尚冷却は最初３０分間にわたり、後３０分は冷却をやめ  後約１時間  シクロヘキサンを還流する程度に温度を上げ  反応させた。
【００１２】  塩素化率は８塩素化ダイオキシンとして１２％となった。
【脱塩素化の実施】
【００１３】  上記の試料溶液（粗塩素化ダイオキシン）１ｃｃをとり  あらかじめ７００℃に熱した  多孔形状銅２０ｇ板を設置した密閉容器内に霧状に導入した。
【００１４】  冷却後  銅版及び容器内を  ｎ−ヘキサン１００ｍｌシクロヘキサン１００ｍｌで交互に洗浄した。
【００１５】  この洗浄液  約１９０ｍｌ中の塩素分析をしたところ  塩素は検出されなかった。
【００１６】  検出はガスクロマトグラフィー（ＥＣＤ検出法）によった。
【００１７】  上述の銅版の形状をかえ  表面積を変えて同様に実施したところ  いずれも塩素は検出されなかった。
(57)【要約】【課題】  既存の検札用スタンパーはインク浸透形で、押印後に触れると、印字のにじみや、インクによる汚れが発生するおそれがある。また、インクは消耗品である為、インクの補充や保管が必要となる。さらに、従来の券片の検札は、検札者の目視で行われるのみで、偽造券の識別が困難である。【解決手段】  スタンパー形検札鋏を直接サーマル印刷方式のスタンパーとし、熱を与えることで券片へ印字する方式とする。直接サーマル印刷では、券片にインクが塗布されており、熱を与えることによってインクを変色さることでスタンプを印刷する。【選択図】  図１
2006095788.tif 000002
【特許請求の範囲】
【請求項１】
直接サーマル印刷用券片に、検札スタンプ型に熱を与え、直接サーマル印字方式によりスタンプ押印することを特徴とした、印字面、発熱部、温度制御部、電源部を内蔵した、インクレス検札鋏。
【請求項２】
請求項１に記載した押印方法により検札印の押印時、同時に、感熱／普通紙の判断により、偽造券の識別を可能とするインクレス検札鋏。
【請求項３】
発熱状態中、一定時間未使用で経過後は自動で電源OFFし、さらに、ストッパを切符挿入または手動または電源スイッチと連動で外さない限り、意図しない押下を防止することで、余熱によるやけどを防止することを特徴としたインクレス検札鋏。
【発明の詳細な説明】
【技術分野】
【０００１】
本発明は、車内検札、有人改札口や、各種入場ゲートなどで、券片に対してスタンプの押印を行うスタンパー形改札鋏、スタンパー形検札鋏、入場ゲート検札用スタンパーなどの検札用スタンパーに関わり、特に直接サーマル印刷券片への押印が必要となるスタンパー形検札鋏に関するものである。
【背景技術】
【０００２】
以下、従来の列車内における検札を例に説明する。従来のスタンパー形検札鋏は、インク浸透形のスタンパーを用いている。これは、スタンパー内部にインクタンクを持ち、タンクの底面から印面にインクが染み出る構造となっており、インク減少時にタンクへインクを補充する構造となっている。
【０００３】
また、検札時、券片の真偽識別は目視のみとなっている。
【発明の開示】
【発明が解決しようとする課題】
【０００４】
このようなスタンパー形検札鋏については、インク浸透形のスタンパーであるため、押印した後、インクが乾くまで時間かかかる。これは乾く前に券片触れてしまい、スタンプがにじんでしまったり、インクによって汚れたりするおそれがある。
【０００５】
また、インクが不足した場合、定期的にインクを補充する必要がある。
【０００６】
さらに、従来の券片の検札は、検札者の目視で行われるのみで、偽造券の識別が困難である。
【課題を解決するための手段】
【０００７】
スタンパー形検札鋏を直接サーマル印刷方式のスタンパーとし、熱を与えることで券片へ印字する方式とする。直接サーマル印刷は、券片表面に染料が含まれた発色層があり、熱を与えることによって染料を変色さることで印刷する。この印刷法により、押印後触れてもスタンプのにじみ、インクによる汚れがなく、鮮明なスタンプを押下することが可能となる。また、インクの補充、保管の必要がない、インクレスが可能となる。
【０００８】
さらに、券片を直接サーマル印刷券片に統一することで、偽造券の場合、検札印押印時に、印字できないため、押印と同時に券片の真偽を識別することができる。
【０００９】
この方式において、自動電源OFF機能及び押下防止ストッパを設けることで、余熱によるやけどを防止でき、安全な装置とすることができる。
【発明の効果】
【００１０】
本発明によれば、社内改札、有人改札口などで、券片にスタンプを押下する必要のある検察用スタンパーは、直接サーマル印刷方式のスタンパーとすることで、従来のインク浸透形スタンパーと同等の簡単な操作で、インクレスでスタンプを押下することができる。また、インクレス化することで、スタンプのにじみ、スタンプによる汚れが排除できる。さらに、インクの保管、スタンパーへの補充が不必要となる。
【００１１】
また、券片を直接サーマル印刷券片に統一することで、検札印押印時に、印字できない券片は、偽造券であるため、券片の真偽を識別することに顕著な効果を得ることができる。
【発明を実施するための最良の形態】
【００１２】
以下、本発明の実施形態について説明する。図１は本発明の実施形態に関わるシステムの構成図であり、スタンパー１、同装置の稼動部２、同装置の発熱部３、同装置の印刷部４、同装置の制御部５、同装置の電源部６、同装置の充電口７、同装置の電源スイッチ８、同装置のストッパ９、同装置の耐熱板１０から成る。
【００１３】
次に取引における処理の流れを図２に示す。まず、ユーザ１２は予め充電口７より充電を行ない、電源スイッチ８をONにする（ステップ１００）。電源部６より制御部５に電力が供給され（ステップ１０１）、制御部５は発熱部を発熱／制御する（ステップ１０２）。同時に印字部４が加熱される（ステップ１０３）。
【００１４】
印字部が加熱された状態でユーザ１２は、押印防止用のストッパ９を外す（ステップ１０４）。この際、ストッパ９は電源スイッチ８と連動して倒す、もしくは手動で倒す、もしくは切符１１で押し倒すことで外れる。これにより誤動作による押下を防止し、余熱によるやけどを防止することができる。
【００１５】
その後、ユーザ１２は押印をしたい切符１１をスタンパー１の印字部４の下へ挿入し（ステップ１０５）、スタンパー１の稼動部２を押下し、印刷部４を切符１１に近付ける（ステップ１０６）。それにより、切符１１は印字部４から熱を受け、券面に印刷される（ステップ１０７）。この時、切符１１に印字がされない場合、直接サーマル印刷券片でないと判断できる。押下時のスタンパー１下部への熱は耐熱板１０により遮断し、やけどや装置への影響を防ぐ。
【００１６】
ユーザ１２は稼動部２を元の位置に戻し（ステップ１０８）、印刷された切符５を取り出し（ステップ１０９）、ストッパ９をたてて押下処理がする（ステップ１１０）。
【００１７】
これにより、ユーザは簡易な操作をするだけで、インクレスでスタンプを押下することができる。
【図面の簡単な説明】
【００１８】
【図１】本発明に関わる一実施例のインクレス検札鋏におけるシステム構成図。
【図２】インクレス検札鋏における押印処理の流れ図。
【符号の説明】
【００１９】
１…インクレス検札鋏、２…インクレス検札鋏の上下稼動部、３…インクレス検札鋏の発熱部、４…インクレス検札鋏の印刷部、５…インクレス検札鋏の制御部、６…インクレス検札鋏の電源部、７…インクレス検札鋏の充電口、８…インクレス検札鋏の電源スイッチ、９…インクレス検札鋏の誤動作防止用ストッパ、１０…インクレス検札鋏の耐熱版、１１…印刷対象の切符、１２…ユーザ（車掌）。
【図１】
2006095788.tif 000003
【図２】
2006095788.tif 000004
(57)【要約】【課題】      ハンガーの肩の部分に、衣類の外れ止めのための留具を取り付けた衣類用ハンガーを提供する。【解決手段】  ハンガーの肩の部分に、衣類が外れないように、バネ等によって固定する、クリップ状の留具を設けたことを特徴とする、クリップ付きハンガー。【選択図】    図１
2006095247.tif 000002
【特許請求の範囲】
【請求項１】
中央部にフックが設けられ、ハンガー本体のアーム部の左右の肩の部分に、衣類を留めておくためのクリップ状の留具を、外向きに開口するように配置し、バネあるいは一体成形の弾力性を有した材料によって、適度な侠着力が得られるように設けたことを特徴とする、クリップ付きハンガー。
【発明の詳細な説明】
【技術分野】
【０００１】  本発明は、ハンガーの肩の部分に、衣類を留めておくためのクリップを設けた、衣類用ハンガーに関するものである。
【背景技術】
【０００２】  従来、ハンガーの肩の部分に滑り止め材を設けたものがあった。（例えば特許文献１参照）【０００３】
【特許文献１】    特公平７−１０６１７１
【発明の開示】
【発明が解決しようとする課題】
【０００４】  そのために、次のような問題点があった。
（イ）滑り止め材の摩擦のみでは、衣類を留めておく効果が弱く、強風などでは洗濯物が落ちてしまうことがあった。
（ロ）胸元の開いた、広襟の衣類などでは、ハンガー自体に衣類が掛からないことがあった。
本発明は、これらの問題点を解決するためになされたものである。
【課題を解決するための手段】
【０００５】  中央部にフックが設けられ、ハンガー本体のアーム部の左右の肩の部分上面に、衣類を留めておくためのクリップ状の留具を、外向きに開口するように配置し、バネあるいは、ハンガー本体と一体成形された、弾力性を有した材料によって、適度な侠着力が得られるように設ける。以上を特徴とするクリップ付きハンガー。
【発明の効果】
【０００６】  洗濯用ハンガーとして使用したとき、強風にあおられてもクリップ留具が衣類をしっかり固定しているので、衣類がハンガーから外れることがない。また胸元の広い衣類などでもクリップによって固定できるので、ハンガーに掛けることができるようになる。またクリップ状留具を、ハンガー本体と一体成形の材料で製作した場合、金属製部品が不要となるので、検針機に対応できる。
【発明を実施するための最良の形態】
【０００７】  以下、本発明の実施の形態について説明する。
第一実施の形態として図１の全体斜視図を示す。本発明は図２に示すように、フック部分（１）と、その下部のハンガー本体（２）のアーム部分と、アーム部分の左右の肩の部分に外向きに開口するように設けられた、衣類を留めておくための、クリップ状の留具の部分（３）からなる。図４に示すようにクリップ部分は、クリップ片の凹部（４）とアーム部分の凸部（５）によって組み合わされ、クリップ状の可動状態となる。さらにアーム部分の凸部（５）とクリップ片の凹部（４）の中間に、巻きバネ（６）を配置する空隙を有して、巻きバネ（６）はアーム部分の凸部（５）にまかれる。巻きバネ（６）の一端はクリップ片（３）の底部に掛けられ、もう一端はアーム部に設けられたバネ止め（７）に留められる。これにより適度な侠着力が得られ、アーム部に設けられた侠着部（８）において、衣類を留めておくことができる。
第二実施の形態として図６の全体斜視地を示す。図６に示すようにフック部分（１）とその下部のハンガー本体部分（２）とハンガー本体のアーム部の肩の部分に、外向きに開口するように設けられた、衣類を留めておくためのクリップ部分（９）からなる。図７に示すように、それぞれの部分は、弾力性と復元性に富んだ合成樹脂等の材料にて一体に成形されため、金属製の部品を使用することなく、クリップ部分（９）の弾性力のみで衣類を留めておくための侠着力が得られる。
本発明は以上のような構成で、これを使用するときは、衣類をハンガー本体（２）に掛け、さらに衣類を、肩の部分にある留具（３）によって固定する。これによって胸元の広い衣類でもハンガーに掛けることができる上、強風のもとでも外れることがない。
【図面の簡単な説明】
【０００８】
【図１】  本発明の斜視図
【図２】  本発明の分解斜視図
【図３】  本発明の使用状態を示す斜視図
【図４】  本発明のクリップ部分を縦断した側面図
【図５】  本発明のクリップ部分の上面図
【図６】  本発明の他の実施例を示す斜視図
【図７】  本発明の他の実施例のクリップ部分の側面図
【符号の説明】
【０００９】  １  フック
２  ハンガー本体
３  留具
４  クリップ片凹部
５  アーム部凸部
６  巻きバネ
７  バネ止め
８  侠着部
９  ハンガー一体成形の留具
【図１】
2006095247.tif 000003
【図２】
2006095247.tif 000004
【図３】
2006095247.tif 000005
【図４】
2006095247.tif 000006
【図５】
2006095247.tif 000007
【図６】
2006095247.tif 000008
【図７】
2006095247.tif 000009
(57)【要約】【課題】  絆創膏において、絆創膏を貼った後、傷口、及び、傷口周辺を絆創膏の上から何かにぶつかっても痛くなく傷口を保護する絆創膏を提供する。【解決手段】  絆創膏の中央上部に、傷口に当たるパッド以上の大きさの形状を持つ保護材を取り付け絆創膏の下の傷口、及び、傷口周辺への衝撃を減少させる構造の絆創膏を提供するものである。【選択図】  図１
2006095249.tif 000002
【特許請求の範囲】
【請求項１】
絆創膏素材の粘着シートと、粘着シート下部面の中央部に設けられた傷口に当てるパッドと、粘着層上に貼りあわされた剥離シートと粘着シートの前記パッド位置の上面に設けられたパッドよりも大きい形状の衝撃を吸収する傷口保護シートより構成される傷口保護絆創膏。
【請求項２】
保護シート上面に粘着シート巻き込み方向へ湾曲させた硬質シートを設けたことを特徴とする請求項１記載の傷口保護絆創膏。
【発明の詳細な説明】
【技術分野】
【０００１】  本発明は絆創膏に関するものである。
【背景技術】
【０００２】  従来、絆創膏は身体に付着する粘着層を有する粘着シートと、その下のテープ本体の中心部分に設けられた傷口に当てるパッドと、付着する面に付着した剥離シートから成り立っている。
【発明の開示】
【発明が解決しようとする課題】
【０００３】  靴擦れや切り傷や火傷などの傷口に対して絆創膏を貼った後に、その傷に対し絆創膏の上から繰り返し他の物と接触し不愉快な痛みを感じたり、傷口の状況を悪化させたり、治癒を遅らせたりした。
本発明は、これらの問題を解決するためになされたものである。
【課題を解決するための手段】
【０００４】  絆創膏素材の粘着シートと、テープ本体下図の中央部に設けられた傷口に当てるパッドと、粘着層上に貼りあわされた剥離シートと粘着シートの前記パッド位置の上面に設けられたパッドよりも大きい形状の衝撃を吸収する傷口保護シートより構成される。
また、傷口保護シート上面に硬質シートを具備させる。
【発明の効果】
【０００５】  絆創膏を貼った傷口、および傷口の周辺を保護し、繰り返し他の物と接触し不愉快な痛みを感じず、傷口の状況を悪化させず、治癒を遅らせない。
硬質シートを設けることにより、先端が細い形状の物や、角に接触しても身体への衝撃を和らげることが出来る。
【発明を実施するための最良の形態】
【０００６】  図１は、本発明の断面図である。
絆創膏の構成は、身体に貼り付ける粘着シート（２）、粘着層（３）、傷口に当てるパッド（４）、剥離シート（５）から成りたっている。その絆創膏本体の中心上部に傷口に当てるパッド（４）以上の大きさで衝撃吸収シート（１）を取付ける。
衝撃吸収シート（１）の材質は、衝撃吸収性、収縮性、引張り強さ、やぶれなさ、通気性、抗菌性等を考慮した衝撃吸収材料を使用する。例えば、発泡系、ゲル状、スポンジ状プラスチックの素材、一例を挙げるとウレタンスポンジ、繊維状ポリエステル、すべり止めなどに使用されるスポンジ状アクリル樹脂、衝撃吸収材として使われるゲル状プラスチック等を使用する。
本発明は以上の構成より成り、これを使用する時は剥離シートを剥がし、傷口にパッドが当たるように巻きつける。
絆創膏本体の上部の衝撃吸収シートに厚みがあるので衝撃が吸収される。【０００７】  以下、図５を利用して他の事例について説明する。
衝撃吸収シート（１）の上部の湾曲している溝にあらかじめ湾曲している硬質シート（６）を取り付ける。
硬質シート（６）は、ふちが身体を傷つけないよう硬質シートがはまる溝を設けた衝撃吸収シート（１）にはめ込む。
衝撃吸収シート（１）は、身体の湾曲した部分に取り付けられるように曲げられるだけの厚みを設ける。
硬質シート（６）は、図６に示すように、あらかじめ湾曲している身体の部分に貼り付けるために湾曲をつけておき、その硬質シート（６）の形状が取付く湾曲を衝撃吸収シートにも作り、貼り付ける。
硬質シート（１）の材質は、衝撃吸収性、収縮性、引張り強さ、やぶれなさ、通気性、抗菌性等を考慮した硬質の材料を使用する。例えば金属系、プラスチックの薄板、または、テープを使う。その一例としてポリカーポネイト、アクリル、地球環境を考えたペットーＧ、ナイロン、アルミテープ、ステンレステープ、銅テープなどが挙げられる。
これを使用する時は剥離シートを剥がし、傷口にパッドが当たるように巻きつける。
身体の湾曲した部分の傷口に貼る時は、図７に示すように絆創膏の長手方向が湾曲するように巻きつける。
粘着シートには湾曲に対応するだけの厚みを設け、硬質シートはあらかじめ湾曲をつけておくので、図７に示すように絆創膏全体は身体の湾曲した部分にも貼り付けることが出来る。
硬質シート（６）により先の細い物や角にぶつかった時の衝撃が少なくなり、衝撃吸収シート（１）に伝わる力もより面積的に広く分散し衝撃をより吸収し傷口が痛まなくなる。
【図面の簡単な説明】
【０００８】
【図１】本発明の断面図
【図２】本発明の正面図
【図３】本発明の使用例
【図４】本発明の他の事例の正面図
【図５】本発明の他の事例の断面図
【図６】本発明の他の事例の分解斜視図
【図７】本発明の他の事例の使用例
【符号の説明】
【０００９】      １  衝撃吸収シート
２  粘着シート
３  粘着層
４  パッド
５  剥離シート
６  硬質シート
７  指
【図１】
2006095249.tif 000003
【図２】
2006095249.tif 000004
【図３】
2006095249.tif 000005
【図４】
2006095249.tif 000006
【図５】
2006095249.tif 000007
【図６】
2006095249.tif 000008
【図７】
2006095249.tif 000009
(57)【要約】【課題】従来、逆さ吊り機は色々あったが、使用者の肉体的負担や精神的不安が大きかった。【解決手段】ベンチ型フレーム（１）上部一辺とチョウバン（２）で接合した板（３）の一端に足固定具（４）を取り付け、他一端の裏側に取付金具（５）にモーター（６）からのワイヤ（７）を繋げて、チョウバン（２）を支点としてモーター（６）の動力で取り付け金具（５）側を曳くことにより足固定具（４）側を上下させる逆さ吊り整体機。【選択図】図１
2006095250.tif 000002
【特許請求の範囲】
【請求項１】
ベンチ型フレーム（１）上部一辺とチョウバン（２）で接合した板（３）の一端に足固定具（４）を取り付け、他一端の裏側に取付金具（５）にモーター（６）からのワイヤ（７）を繋げて、チョウバン（２）を支点としてモーター（６）の動力で取り付け金具（５）側を曳くことにより足固定具（４）側を上下させる逆さ吊り整体機。
【発明の詳細な説明】
【技術分野】
【０００１】本発明はベンチ型フレームの上一端で接合した板に人の足を固定する器具を取り付け、接合部を支点にして板の足側を徐々に持ち上げて人を逆さ吊りにする逆さ吊り整体機に関するものである。
【背景技術】
【０００２】従来の逆さ吊り機は逆さ吊り姿勢になるまでに使用者の肉体的負担や精神的不安が大きかった。
【特許文献１】特開２００１−０００５８０号公報
【発明の開示】
【発明が解決しようとする課題】
【０００３】使用者が一人で楽に最初の姿勢がとれ、肉体的負担や精神的不安無く逆さ吊り態状になれないか。
【課題を解決するための手段】
【０００４】ベンチ型フレーム（１）上部一辺とチョウバン（２）で接合した板（３）の一端に足固定具（４）を取り付け、他一端の裏側に取付金具（５）にモーター（６）からのワイヤ（７）を繋げて、チョウバン（２）を支点としてモーター（６）の動力で取り付け金具（５）側を曳くことにより足固定具（４）側を上下させる。
【発明の効果】
【０００５】足を支えて体を逆さ吊りにすることにより、全身の骨格が真っ直ぐになり、骨の格歪みからくる疾患を和らげることができる。
【発明を実施するための最良の形態】
【０００６】（イ）動力は動きがスムースで安全装置付きの１人でリモコン操作できるものを使用する。
（ロ）必要に応じて安定度を増すための横張を付ける。
（ロ）足の固定具は長時間使用しても苦痛にならないものとする。
【図面の簡単な説明】
【０００７】
【図１】本発明請求項１の側面図
【図２】本発明請求項１の側面図
【図３】本発明請求項１の側面図
【図４】人が板の上に横たわった状態の側面図
【符号の説明】
【０００８】１フレーム
２チョウバン
３板
４足固定具
５取付け金具
６モーター
７ワイヤー
【図１】
2006095250.tif 000003
【図２】
2006095250.tif 000004
【図３】
2006095250.tif 000005
【図４】
2006095250.tif 000006
(57)【要約】      （修正有）【課題】車内で簡便に利用できるしびんを提供する。【解決手段】ナイロン又はビニール袋で尿体（１）を作り，その上部を手元筒（２）にした。その手元筒（２）の表面に厚めの張り紙（５）を付けて注尿口（３）を開けやすくした。そして尿を注入（３）しやすくした。【選択図】図１
2006095258.tif 000002
【特許請求の範囲】
【請求項１】
尿体（１）に手元箇（２）をつけてその表面に張り紙（５）を付けたカー用しゆびん。
【請求項２】
カー用しゆびんは固形でない。
使用前は折りたたみが出来る。
【発明の詳細な説明】
【発明の詳細な説明】
【発明に属する技術分野】
【００１】  この発明は，ナイロン又はビニール袋に尿を注入（３）しやすくするために尿体（１）の上部を細く筒状にして手元筒（２）にしたカー用しゆびんに関するものである。
【背景技術】
【００２】  従来のしゆびんは，ガラス製，金属製，エンビ製品で出来ていて固く，固形だから狭い車内では場所を取り見ため感じも悪い車内での利用はしにくい使い捨ても出来にくい。
【発明が解決しょうとする課題】
【００３】  本発明は，その欠点を無くすために一枚のナイロン又はビニール袋にした。その袋の上部を細くして，手元筒（２）にした，その表面にかための張り紙（５）をして持ちやすくした。
そして，注尿しやすくした。そして，注尿口（３）がパット開きやすくなることを課題として研究を進めた。
【課題を解決するための手段】
【００４】  尿を取りやすくするためには，手元筒（２）を固くすることである。その固さはどのようなのが理想かを実験と理論の結果，手元筒（２）の表面に厚めの張り紙（５）をすることが最上であることを発見した。
【発明を実施するための最良の形態】
【００５】  本発明を実施するために，最初は厚めのナイロン袋を，はさみで徳利形に切り，それをのりで張り付けて尿体（１）を作った。それから上部に手元筒（２）を作り，その表面に厚めの張り紙（５）をした。注尿口（３）が筒状に開くようになった。尿を注入して結びひも（４）で縛る。
【発明の効果】
【００６】  本発明は，以上のような構成だから車の渋滞時などで車外に出られない時には，このカー用しゆびんを使用すれば小水が腹にたまり苦しむことはない。小用に関しては意外と簡単であり快適である。材料費もナイロン袋と紙が少しいるだけだから大量生産できればコストダウンにつながる。
【図面の簡単な説明】
【図１】        本発明の正面図（男性用）
【図２】        本発明の正面図（女性用）
【符号の説明】
１  尿体
２  手元筒
３  注尿口
４  結び紐
５  張り紙
【図１】
2006095258.tif 000003
【図２】
2006095258.tif 000004
(57)【要約】【課題】マイナスイオンを利用することにより、完全に消臭できる洋式便器を提供する。【解決手段】便器本体１と、該便器本体上に開閉自在に取り付けられた便座２とを備えた洋式便器において、便座２の周囲に形成されている座部２ａを中空管状に形成し、該座部２の裏側に前記便器本体内に向けて開口する開口部１０を形成し、該座部２に内部にマイナスイオン発生手段を設け、該座部に排気管４を連結する。【選択図】図２
2006095252.tif 000002
【特許請求の範囲】
【請求項１】
便器本体と、該便器本体上に開閉自在に取り付けられた便座とを備えた洋式便器において、
前記便座の周囲に形成されている座部を中空管状に形成し、該座部の裏側に前記便器本体内に向けて開口する開口部を形成し、該座部の内部にマイナスイオン発生手段を設け、該座部に排気管を連結したことを特徴とする洋式便器。
【請求項２】
前記マイナスイオン発生手段は、マイナスイオンを発生する鉱石粉末であることを特徴とする請求項１記載の洋式便器。
【請求項３】
前記マイナスイオン発生手段は、マイナスイオンを放射する電極であることを特徴とする請求項１記載の洋式便器。
【請求項４】
前記便器本体に供給する洗浄水に界面活性剤を混ぜることにより、底に溜まった洗浄水に泡立ちを生じさせたことを特徴とする請求項１ないし３のいずれかに記載の洋式便器。
【請求項５】
前記便器本体の底部にマイナスイオン発生部材を沈めたことを特徴とする請求項１ないし４のいずれかに記載の洋式便器。
【発明の詳細な説明】
【技術分野】
【０００１】  本発明は、消臭機能を備えた洋式便器に関する。
【背景技術】
【０００２】  従来、便座の裏側に風穴を開け、この風穴から便座内に悪臭を吸い込みパイプから外部に排出するようにした便器がある（例えば、特許文献１参照）。【０００３】
【特許文献１】  特開２００４−２０９１９２号公報
【発明の開示】
【発明が解決しようとする課題】
【０００４】  特許文献１に記載されているように、単に風穴から吸い込むだけでは、全ての臭気を完全に除去することは困難で、室内に臭気が残存することは避けられない。【０００５】  本発明は、上述のような従来の課題を解決するためになされたもので、その目的は、マイナスイオンを利用することにより、確実に消臭できる洋式便器を提供することにある。
【課題を解決するための手段】
【０００６】  請求項１記載の発明は、便器本体と、該便器本体上に開閉自在に取り付けられた便座とを備えた洋式便器において、前記便座の周囲に形成されている座部を中空管状に形成し、該座部の裏側に前記便器本体内に向けて開口する開口部を形成し、該座部の内部にマイナスイオン発生手段を設け、該座部に排気管を連結したことを特徴とする。【０００７】  請求項２記載の発明は、前記マイナスイオン発生手段は、マイナスイオンを発生する鉱石粉末であることを特徴とする。【０００８】  請求項３記載の発明は、前記マイナスイオン発生手段は、マイナスイオンを放射する電極であることを特徴とする。【０００９】  請求項４記載の発明は、前記便器本体に供給する洗浄水に界面活性剤を混ぜることにより、底に溜まった洗浄水に泡立ちを生じさせたことを特徴とする。【００１０】  請求項５記載の発明は、前記便器本体の底部にマイナスイオン発生部材を沈めたことを特徴とする。
【発明の効果】
【００１１】  請求項１記載の発明によれば、中空管状の座部の内部にマイナスイオン発生手段を設けたことにより、座部に吸い込まれた臭気がマイナスイオンによる消臭効果により、確実に消臭される。【００１２】  請求項２記載の発明によれば、鉱石粉末をマイナスイオン発生手段として使用することにより、安価な構成の便座を得ることができる。【００１３】  請求項３記載の発明によれば、電子放射の電極でマイナスイオン発生手段を構成することにより、大量のマイナスイオンを発生させることができる。【００１４】  請求項４記載の発明によれば、洗浄水に界面活性剤を混ぜることにより、洗浄水に泡立ちを生じさせて、臭気が外部に出るのを遮ることができる。【００１５】  請求項５記載の発明によれば、便器本体の底部にマイナスイオン発生部材を沈めることにより、洗浄水の臭気を低減させることができる。
【発明を実施するための最良の形態】
【００１６】  以下、本発明の一実施形態を、図面に基づいて説明する。
図１は、本発明の洋式便器に実施形態を示す正面図、図２は、縦断側面図である。
同図に示すように、洋式便器は、便器本体１と、上方に跳ね上げ可能の便座２とを備えている。便器本体１の後部には洗浄水を供給する給水管８が連結されている。なお、便座２の上部には図示しない蓋を有している。【００１７】  便座２は、周囲に扁平な座部２ａを有し、後部のヒンジ部１３を介して便器本体１に回動可能に取り付けられている。座部２ａは、扁平な管形状のもので、底板部の一部に便器本体１内に向けて開口するスリット状の開口部１０が形成されている。そして、座部２ａの内面にはマイナスイオンを発生する鉱石粉末３が塗布されている。マイナスイオンを発生する鉱石粉末としては、トリウム系列またはウラン系列の元素を含んだ低線量の鉱石粉末が好適に使用される。このような鉱石粉末３を溶剤に溶かして座部２ａの内面に塗布している。【００１８】  座部２ａの後部の邪魔にならない箇所に排気管４が連結されている。排気管４にはモータ５により回転する排気ファン６が設けられている。
便器本体１の底部にはマイナスイオン発生部材７が載置されている。このマイナスイオン発生部材７は、トリウム系列またはウラン系列の元素を含んだ低線量の鉱石が用いられる。このマイナスイオン発生部材７の形状は任意であるが、便の通過の邪魔にならない程度の薄い平板型またはリング状が好ましい。【００１９】  給水管８からは界面活性剤を混ぜた洗浄水を供給することにより、便器本体１の底に溜まった水に泡９を生じさせる。この泡９と、マイナスイオン発生部材７から出るマイナスイオンとの相乗効果により排便時における消臭効果を持たせることができる。
さらに、この泡９を潜り抜けた臭気は、開口部１０から便座２内に吸引されて鉱石粉末３から出るマイナスイオンで消臭された後、排気管４から外部へ排気される。【００２０】  図３は、便座２の他の実施形態を示す。この実施形態では、鉱石粉末に代えて、あるいは鉱石粉末とともに、座部２ａの内部に電極１１を取り付け、これに配線１２から電流を供給してマイナスイオンを放射する、いわゆる電子放射方式を用いている。電極１２は、必要に応じて複数個設けることにより、マイナスイオンの放射量を増加させることができる。
【図面の簡単な説明】
【００２１】
【図１】本発明の洋式便器の実施形態を示す正面図である。
【図２】同じく、縦断側面図である。
【図３】便座の他の実施形態を示す縦断側面図である。
【符号の説明】
【００２２】１便器本体
２便座
２ａ座部
３鉱石粉末
４排気管
７マイナスイオン発生部材
１０開口部
１１電極
【図１】
2006095252.tif 000003
【図２】
2006095252.tif 000004
【図３】
2006095252.tif 000005